(57)【要約】【課題】改善された電子機器を提供する。【解決手段】電子機器は、電源がオン状態である通常モードと、疑似電源オフモードとを有する。疑似電源オフモードは、電源がオン状態であり、通常モードの一部の機能が制限されているモードである。電子機器は制御部及び表示部を備える。制御部は、ユーザ操作に基づき電子機器を疑似電源オフモードに移行させるときに、電子機器を機内モードに設定するよう推奨する旨を、表示部に表示させる。【選択図】図３
2018110371.tif 000002
【特許請求の範囲】
【請求項１】
電源がオン状態である通常モードと、
電源がオン状態であり、前記通常モードの一部の機能が制限されている疑似電源オフモードと、を有する電子機器であって、
前記電子機器は制御部及び表示部を備え、
前記制御部は、ユーザ操作に基づき前記電子機器を前記疑似電源オフモードに移行させるときに、前記電子機器を機内モードに設定するよう推奨する旨を、前記表示部に表示させる、電子機器。
【請求項２】
電源がオン状態である通常モードと、
電源がオン状態であり、前記通常モードの一部の機能が制限されている疑似電源オフモードと、を有する電子機器であって、
前記電子機器は制御部及び表示部を備え、
前記制御部は、ユーザ操作に基づき前記電子機器を前記疑似電源オフモードに移行させるときに、前記電子機器の電源をオフ状態にすることを推奨する旨を、前記表示部に表示させる、電子機器。
【請求項３】
請求項２に記載の電子機器において、
前記制御部は、前記疑似電源オフモードに関する設定を無効にしてから前記電子機器の電源をオフ状態にすることを推奨する旨を、前記表示部に表示させる、電子機器。
【発明の詳細な説明】
【技術分野】
【０００１】
本発明は、電子機器に関する。
【背景技術】
【０００２】
従来から、疑似的に電源をオフにする電子機器が知られている（例えば、特許文献１）。特許文献１に記載の電子機器では、公共の場（例えば、学校、映画館及び病院等）で、電源がオフ状態であるかのように装うため疑似的に電源がオフにされる。
【先行技術文献】
【特許文献】
【０００３】
【特許文献１】特開２０１２−１４７４００号公報
【発明の概要】
【発明が解決しようとする課題】
【０００４】
将来的に、上記電子機器には、通信に関する多様な機能が組み込まれることが想定される。これに関し、上記電子機器には、改善の余地がある。
【０００５】
かかる点に鑑みてなされた本発明の目的は、改善された電子機器を提供することにある。
【課題を解決するための手段】
【０００６】
本発明の一実施形態に係る電子機器は、電源がオン状態である通常モードと、疑似電源オフモードとを有する。該疑似電源オフモードは、電源がオン状態であり、前記通常モードの一部の機能が制限されているモードである。前記電子機器は制御部及び表示部を備える。前記制御部は、ユーザ操作に基づき前記電子機器を前記疑似電源オフモードに移行させるときに、前記電子機器を機内モードに設定するよう推奨する旨を、前記表示部に表示させる。
【０００７】
本発明の一実施形態に係る電子機器は、電源がオン状態である通常モードと、疑似電源オフモードとを有する。該疑似電源オフモードは、電源がオン状態であり、前記通常モードの一部の機能が制限されているモードである。前記電子機器は制御部及び表示部を備える。前記制御部は、ユーザ操作に基づき前記電子機器を前記疑似電源オフモードに移行させるときに、前記電子機器の電源をオフ状態にすることを推奨する旨を、前記表示部に表示させる。
【発明の効果】
【０００８】
本発明の一実施形態によれば、改善された電子機器を提供することができる。
【図面の簡単な説明】
【０００９】
【図１】本発明の第１実施形態に係る電子機器を正面から見たときの外観斜視図である。
【図２】本発明の第１実施形態に係る電子機器を背面から見たときの外観斜視図である。
【図３】本発明の第１実施形態に係る電子機器の概略構成を示す機能ブロック図である。
【図４】本発明の第１実施形態に係る電子機器の動作を示すフローチャートである。
【図５】本発明の第２実施形態に係る電子機器の動作を示すフローチャートである。
【発明を実施するための形態】
【００１０】
以下、本発明に係る実施形態について、図面を参照して説明する。
【００１１】
（第１実施形態）
まず、図１及び図２を参照しながら、本発明の一実施形態に係る電子機器１の外観について説明する。
【００１２】
図１は、本発明の第１実施形態に係る電子機器１を正面から見たときの外観斜視図である。図２は、本発明の第１実施形態に係る電子機器１を背面から見たときの外観斜視図である。電子機器１は、例えば、スマートフォンである。電子機器１は、フロントフェイス１Ａと、バックフェイス１Ｂと、サイドフェイス１Ｃとを備える。フロントフェイス１Ａは、電子機器１の正面であり、バックフェイス１Ｂは、電子機器１の背面である。サイドフェイス１Ｃは、フロントフェイス１Ａとバックフェイス１Ｂとを全周に亘って接続する側面である。
【００１３】
電子機器１は、フロントフェイス１Ａに、ディスプレイ２と、操作キー３Ａ，３Ｂ，３Ｃと、カメラ４Ａと、レシーバ５と、ランプ６と、近接センサ７とを備える。電子機器１は、バックフェイス１Ｂに、カメラ４Ｂと、ライト８と、スピーカ９とを備える。電子機器１は、サイドフェイス１Ｃに、音量キー３Ｄと、電源キー３Ｅと、防犯ブザーキー３Ｆと、マイク１０と、コネクタ１２とを備える。
【００１４】
次に、電子機器１の機能について、図３を参照して説明する。
【００１５】
図３は、本発明の一実施形態に係る電子機器１の概略構成を示す機能ブロック図である。電子機器１は、ディスプレイ２と、キー３と、カメラ４Ａ，４Ｂと、レシーバ５と、ランプ６と、近接センサ７と、ライト８と、スピーカ９と、マイク１０と、バイブ１１と、コネクタ１２と、バッテリ１３と、第１無線ユニット１４と、第２無線ユニット１５と、通信部としての第３無線ユニット１６と、記憶部としてのストレージ２０と、制御部としてのコントローラ２１とを備える。
【００１６】
ディスプレイ２は、表示パネル２Ａを含み、表示機能を有する。表示パネル２Ａは、例えば、ＬＣＤ（Ｌｉｑｕｉｄ  Ｃｒｙｓｔａｌ  Ｄｉｓｐｌａｙ）、有機ＥＬ（Ｅｌｅｃｔｒｏ  Ｌｕｍｉｎｅｓｃｅｎｃｅ）又は無機ＥＬ等で構成される。表示パネル２Ａは、例えば、文字、画像、記号又は図形等を表示する。
【００１７】
また、ディスプレイ２は、入力機能を有するタッチセンサ２Ｂを含む。タッチセンサ２Ｂは、透明なシート状に形成され、表示パネル２Ａ上に配置される。ユーザは、タッチセンサ２Ｂを透かして表示パネル２Ａを視認する。タッチセンサ２Ｂは、例えば、ユーザの指及びスタライスペン等がディスプレイ２に接触した位置を、ユーザのディスプレイ２に対する入力として検出する。
【００１８】
キー３は、ハードキーとしての入力機能を有する。キー３は、ユーザによって操作される。コントローラ２１は、キー３と協働して、キー３に対するユーザ操作を入力として検出する。キーに対するユーザ操作は、例えば、クリック、ダブルクリック、プッシュ、ロングプッシュ及びマルチプッシュである。キー３は、操作キー３Ａ〜３Ｃと、音量キー３Ｄと、電源キー３Ｅと、防犯ブザーキー３Ｆとを含む。
【００１９】
操作キー３Ａ〜３Ｃは、電子機器１が電源オン状態であるときに、ディスプレイ２に所望の画面を表示させるためのキーである。ハードキーとしての操作キー３Ａ〜３Ｃには、例えば、押しボタン式のキーが採用される。なお、操作キー３Ａ〜３Ｃはソフトキーであってもよく、この場合、操作キー３Ａ〜３Ｃには、例えば、タッチセンサ式のキーが採用される。操作キー３Ａ〜３Ｃがソフトキーである場合、タッチセンサ２Ｂの入力機能が、操作キー３Ａ〜３Ｃに対するユーザ操作を検出してもよい。この場合、操作キー３Ａ〜３Ｃは、ディスプレイ２（タッチセンサ２Ｂ）内に配置されていてもよい。
【００２０】
操作キー３Ａは、例えば、バックキーである。ユーザは、ディスプレイ２に表示されている現在の画面を１つ前の画面に戻したいとき、操作キー３Ａを押す。
【００２１】
操作キー３Ｂは、例えば、ホームキーである。ユーザは、ディスプレイ２にホーム画面を表示させたいとき、操作キー３Ｂを押す。
【００２２】
操作キー３Ｃは、例えば、メニューキーである。ユーザは、ディスプレイ２にメニュー画面を表示させたいとき、操作キー３Ｃを押す。さらに、ユーザは、ディスプレイ２に表示されたメニュー画面を指等でタッチすることで、ディスプレイ２に電子機器１の設定画面を表示させることができる。加えて、ユーザは、ディスプレイ２に表示された電子機器１の設定画面から、電子機器１を機内モードに移行させることができる。機内モードについては後述する。
【００２３】
音量キー３Ｄは、レシーバ５及びスピーカ９から出力される音声の音量を調整するためのキーである。音量キー３Ｄは、例えば、アップキー及びダウンキーの２つのキーから構成される。ハードキーとしてのアップキー及びダウンキーには、例えば、押しボタン式のキーが採用される。ユーザは、レシーバ５又はスピーカ９から出力される音声の音量を上げたいとき、「＋」の印が付されたアップキーを押す。また、ユーザは、レシーバ５又はスピーカ９から出力される音声の音量を下げたいとき、「−」の印が付されたダウンキーを押す。
【００２４】
電源キー３Ｅは、電子機器１を起動させるためのキーである。ハードキーとしての電源キー３Ｅには、例えば、押しボタン式のキーが採用される。ユーザは、電源がオフ状態である電子機器１を起動させたいとき、電源キー３Ｅを押す。また、ユーザは、電源キー３Ｅを長く（例えば、１秒以上）押して、通常モードである電子機器１を、疑似電源オフモードに移行させることもできる。さらに、ユーザは、電子機器１の疑似電源オフモードを解除したいときは、電源キー３Ｅを長く（例えば、１秒以上）押す。通常モード及び疑似電源オフモードについては後述する。
【００２５】
防犯ブザーキー３Ｆは、電子機器１に防犯ブザー機能を実行させるためのキーである。ハードキーとしての防犯ブザーキー３Ｆには、例えば、押しボタン式のキーが採用される。ユーザは、例えば、不審者と遭遇したとき、防犯ブザーキー３Ｆを押す。
【００２６】
なお、防犯ブザーキー３Ｆの入力機能は、電子機器１が通常モードであるときだけではなく、電子機器１が疑似電源オフモードであるときも、有効にされている。これは、電子機器１において、通常モードであるときだけではなく、疑似電源オフモードであるときも、防犯ブザー機能を実行可能にするためである。防犯ブザー機能については後述する。
【００２７】
カメラ４Ａ，４Ｂは、撮影機能を有する。カメラ４Ａは、いわゆるインカメラであり、フロントフェイス１Ａに面している物体を撮影する。カメラ４Ｂは、いわゆるアウトカメラであり、バックフェイス１Ｂに面している物体を撮影する。
【００２８】
レシーバ５は、コントローラ２１から送信される音声信号を、音声に変換して出力する。レシーバ５からは、通話中、通話している相手の声が出力される。
【００２９】
ランプ６は、報知機能を有する。ランプ６は、例えば、ＬＥＤ（Ｌｉｇｈｔ  Ｅｍｉｔｔｉｎｇ  Ｄｉｏｄｅ）を含む。例えば、ランプ６は、バッテリ１３が充電されているときに点灯して、バッテリ１３が充電中であることを、ユーザに対して報知する。また、例えば、ランプ６は、メールの受信があると点灯して、メールの受信があったことをユーザに対して報知する。また、例えば、ランプ６は、着信があったときに点灯して、着信があったことを、ユーザに対して報知する。
【００３０】
近接センサ７は、検出機能を有する。近接センサ７は、近隣の物体の存在を非接触で検出する。例えば、ユーザは、電子機器１を用いて通話するとき、ディスプレイ２を顔に近付ける。このとき、近接センサ７は、ユーザの顔を、近隣の物体として検出する。コントローラ２１は、近接センサ７がユーザの顔を近隣の物体として検出すると、ディスプレイ２の表示機能をオフ状態にする。
【００３１】
ライト８は、発光機能を有する。ライト８は、例えば、ＬＥＤを含む。例えば、ライト８は、カメラ４Ｂが物体を撮影するときに発光する。また、例えば、ライト８は、簡易的な照明として発光することもできる。
【００３２】
スピーカ９は、報知機能を有する。例えば、スピーカ９は、着信があるときに所定の着信音を出力して、着信があることを、ユーザに対して報知する。また、例えば、スピーカ９は、予め設定された時刻になると所定のアラーム音を出力して、所定時刻であることを、ユーザに対して報知する。
【００３３】
マイク１０は、通話中のユーザの声及び付近の音を、音声信号に変換してコントローラ２１に送信する。
【００３４】
バイブ１１は、報知機能を有する。バイブ１１は、圧電素子等の振動子を含む。例えば、バイブ１１は、メールを受信したときに振動して、メールを受信したことを、ユーザに対して報知する。また、例えば、バイブ１１は、着信中に振動して、着信中であることを、ユーザに対して報知する。
【００３５】
コネクタ１２は、他の装置が接続される端子である。コネクタ１２は、例えば、ＵＳＢ（Ｕｎｉｖｅｒｓａｌ  Ｓｅｒｉａｌ  Ｂｕｓ）端子である。コネクタ１２に、充電器のＵＳＢケーブルが接続されると、バッテリ１３が充電される。バッテリ１３は、電子機器１内の構成要素に電力を供給する。
【００３６】
第１無線ユニット１４は、通信機能を有する。第１無線ユニット１４は、基地局を介して、他の電子機器及びインターネットに接続されたサーバ等と通信する。第１無線ユニット１４は、例えば、ＬＴＥ（Ｌｏｎｇ  Ｔｅｒｍ  ＥＶｏｌｕｔｉｏｎ）等の通信規格に基づき通信する。
【００３７】
第２無線ユニット１５は、受信機能を有する。第２無線ユニット１５は、ＧＰＳ（Ｇｌｏｂａｌ  Ｐｏｓｉｔｉｏｎｉｎｇ  Ｓｙｓｔｅｍ）衛星からの電波を受信する。第２無線ユニット１５がＧＰＳ衛星からの電波を受信することで、コントローラ２１は電子機器１の位置情報を取得する。
【００３８】
第３無線ユニット１６は、通信機能を有する。第３無線ユニット１６の通信機能には、Ｂｌｕｅｔｏｏｔｈ（登録商標）に準拠した通信機能と、ＷｉＦｉ（Ｗｉｒｅｌｅｓｓ  Ｆｉｄｅｌｉｔｙ）に準拠した通信機能とが含まれる。第３無線ユニット１６は、Ｂｌｕｅｔｏｏｔｈ（登録商標）に準拠した通信機能によって、他の装置と近距離無線通信する。また、第３無線ユニット１６は、ＷｉＦｉに準拠した通信機能によって、ＷｉＦｉスポットと接続することもできる。
【００３９】
なお、第３無線ユニット１６の通信機能に、例えば、ＩＳＯ／ＩＥＣ１４４４３又はＩＳＯ／ＩＥＣ１８０９２に準拠した通信機能が含まれていてもよい。この通信機能によって、電子機器１において、非接触型ＩＣカード技術を利用することが可能になる。例えば、ユーザは、商品を店で購入するときに、電子機器１を所定のリーダにかざすことで、その商品を精算することが可能になる。
【００４０】
ストレージ２０は、記憶部としてプログラム及びデータを記憶する。また、ストレージ２０は、コントローラ２１の処理結果を一時的に記憶する記憶部としても利用される。ストレージ２０は、半導体記憶デバイス及び磁気記憶デバイス等の任意の記憶デバイスで構成してもよい。また、ストレージ２０は、複数の種類の記憶デバイスで構成してもよい。また、ストレージ２０は、メモリカード等の可搬の記憶媒体と、記憶媒体の読み取り装置との組み合わせで構成してもよい。
【００４１】
ストレージ２０に記憶されるプログラムには、フォアグランド又はバックグランドで実行されるアプリケーションと、アプリケーションの動作を支援する制御プログラムとが含まれる。アプリケーションは、例えば、ディスプレイ２に所定の画像を表示させ、タッチセンサ２Ｂを介して検出されるユーザ操作に対応する処理を、コントローラ２１に実行させる。制御プログラムは、ＯＳ（Ｏｐｅｒａｔｉｎｇ  Ｓｙｓｔｅｍ）である。アプリケーション及び制御プログラムは、第１無線ユニット１４等による無線通信又は記憶媒体を介して、ストレージ２０にインストールされていてもよい。
【００４２】
コントローラ２１は、制御部として電子機器１全体を制御及び管理するものである。コントローラ２１は、各機能の処理を実行させるソフトウェアを読み込んだ汎用のＣＰＵ（中央処理装置）等の任意の好適なプロセッサによって構成される。又は、コントローラ２１は、例えば、各機能の処理に特化した専用のプロセッサによって構成されていてもよい。コントローラ２１が実行するプログラムは、ストレージ２０に格納される。
【００４３】
本実施形態では、コントローラ２１は、防犯ブザーキー３Ｆに対するユーザ操作を検出すると、防犯ブザー機能を実行する。例えば、コントローラ２１は、スピーカ９にブザー音を出力させたり、カメラ５Ｂに不審者を撮影させたりする。このとき、スピーカ９から出力されるブザー音は、ユーザが音量キー３Ｄを操作して設定できる最大値を超える音量であってもよい。さらに、コントローラ２１は、提携している警備会社又は予め登録された緊急連絡先等にメール機能等を利用して緊急通知してもよい。このとき、コントローラ２１は、緊急通知と共に、第２無線ユニット１５によって取得したユーザの位置情報を、警備会社又は予め登録された緊急連絡先等に通知してもよい。例えば、警備会社は、緊急通知を受けると、電子機器１の位置情報からユーザの位置を割り出し、割り出した位置の近くをパトロールしている警備員を現場に急行させたり、警察等に連絡したりする。
【００４４】
なお、防犯ブザー機能は、電子機器１が通常モードであるときだけではなく、電子機器１が疑似電源オフモードであるときも、実行可能である。コントローラ２１は、電子機器１が疑似電源オフモードであるときに、防犯ブザー機能を実行するときは、電子機器１を疑似電源オフモードから通常モードに移行させる。
【００４５】
なお、本実施形態では、コントローラ２１は、防犯に係る機能として防犯ブザー機能を実行するものとするが、これに限定されない。また、本実施形態では、防犯に係る機能すなわち防犯ブザー機能は、防犯ブザーキー３Ｆに対する操作をトリガーとして実行されるものとするが、これに限定されない。例えば、ユーザが、電子機器１に備えられたストラップを所定以上の力で引っ張ったときを契機として、防犯ブザー機能を実行してもよい。
【００４６】
コントローラ２１は、電子機器１のモードに従い、各機能を実行する。電子機器１のモードには、例えば、通常モードと、スリープモードと、電源オフモードと、疑似電源オフモードと、機内モードとが含まれる。以下、これらのモードについて説明する。
【００４７】
＜通常モード＞
通常モードとは、電子機器１の電源がオン状態であり、電子機器１の機能がほぼ全て実行可能にされているモードである。電子機器１の機能には、例えば、主要機能と、付加機能とが含まれる。主要機能は、例えば、着信機能、発信機能、メールの受信機能、メールの送信機能、防犯ブザー機能及び留守番電話機能等である。付加機能は、例えば、ディスプレイ２の表示機能、スピーカ９の報知機能、バイブ１１の報知機能、ランプ６の報知機能、タッチセンサ２Ｂの入力機能、ライト８の発光機能、操作キー３Ａ〜３Ｃの入力機能、音量キー３Ｄの入力機能、電源キー３Ｅの入力機能、第１無線ユニット１４の通信機能、第２無線ユニット１５の受信機能、第３無線ユニット１６の通信機能及びバッテリ１３の充電機能等である。
【００４８】
例えば、コントローラ２１は、通常モードでは、他の端末からの着信を第１無線ユニット１４によって検出すると、主要機能として着信機能を実行する。加えて、コントローラ２１は、付加機能として、ランプ６、スピーカ９及びバイブ１１に、報知機能を実行させる。
【００４９】
＜スリープモード＞
スリープモードとは、電子機器１の電源がオン状態であり、電子機器１の消費電力を低減させるために、電子機器１の付加機能の一部が制限されているモードである。スリープモードにおいて、制限される付加機能の一部は、例えば、ディスプレイ２の表示機能である。
【００５０】
例えば、コントローラ２１は、電子機器１が通常モードであるときに、操作キー３Ａ等に対するユーザ操作を所定時間検出しないとき、電子機器１を通常モードからスリープモードに移行させる。コントローラ２１は、スリープモード中、バックグランドでアプリケーションを実行してもよい。また、コントローラ２１は、他の端末からの着信を第１無線ユニット１４によって検出したときに、着信機能を実行してもよい。このとき、コントローラ２１は、付加機能として、ランプ６、スピーカ９及びバイブ１１に、報知機能を実行させる。
【００５１】
＜電源オフモード＞
電源オフモードとは、電子機器１の電源はオフ状態で、電子機器１の主要機能が制限されているモードである。なお、電源オフモードでは、電子機器１の付加機能のうち、電子機器１を起動させるための電源キー３Ｅの入力機能及びバッテリ１３の充電機能のみが実行可能にされている。
【００５２】
例えば、コントローラ２１は、電子機器１が電源オフモードであるときに、電源キー３Ｅに対するユーザ操作を検出すると、電子機器１を起動させる。また、例えば、コントローラ２１は、電源オフモード中、コネクタ１２に充電器のＵＳＢケーブルが接続されたことを検出すると、バッテリ１３を充電させる。
【００５３】
なお、電子機器１の電源オフモードへの移行は、疑似電源オフモードの機能が有効にされている場合、保護者が電子機器１に予め設定されている保護者向けのメニューを操作することで行われる。また、電子機器１の電源オフモードへの移行は、疑似電源オフモードの機能が無効にされている場合、子供であるユーザが電源キー３Ｅを操作することで行われる。
【００５４】
＜疑似電源オフモード＞
疑似電源オフモードとは、電子機器１の電源はオン状態で、通常モードの一部の機能が制限されているモードである。言い換えれば、疑似電源オフモードは、電子機器１を電源オン状態にして電子機器１の特定の機能を実行可能に維持しつつ、通常モードの一部の機能を制限して、ユーザに対して電源がオフ状態であるかのように、電子機器１が装うためのモードである。例えば、公共の場において、特定の機能として防犯ブザー機能及び留守番電話機能を実行可能な状態に維持したまま、電源がオフ状態であるかのように装いたいときに、疑似電源オフモードが使用される。本実施形態では、疑似電源オフモードにおいて実行可能に維持される特定の機能は、防犯ブザー機能及び留守番電話機能であるものとする。疑似電源オフモードにおいて、制限される一部の機能は、例えば、ディスプレイ２の表示機能、スピーカ９の報知機能、バイブ１１の報知機能、ランプ６の報知機能、タッチセンサ２Ｂの入力機能、ライト８の発光機能及び一部のハードキー（例えば、操作キー３Ａ〜３Ｃ）の入力機能のうちの、少なくとも１つを含む。
【００５５】
例えば、コントローラ２１は、電子機器１が通常モードであるときに、電源キー３Ｅが長く（例えば、１秒以上）押されたことを検出すると、電子機器１を通常モードから疑似電源オフモードに移行させる。コントローラ２１は、例えば、ディスプレイ２の表示機能をオフ状態にしたり、操作キー３Ａ〜３Ｃ及び音量キー３Ｄに対するユーザ操作を無効にしたりする。こうすると、ユーザに対して、電子機器１は、電源オフ状態であるかのように装うことができる。加えて、電子機器１が疑似電源オフモードになっていても、防犯ブザー機能及び留守番電話機能は、実行可能な状態に維持される。そのため、電子機器１が疑似電源オフモードになっていても、ユーザの身の安全等を確保することができる。
【００５６】
また、疑似電源オフモードであっても、第１無線ユニット１４の通信機能、第２無線ユニット１５の受信機能及び第３無線ユニット１６の通信機能は、特に制限されない。これは、疑似電源オフモード中、第２無線ユニット１５によって取得したユーザの位置情報を、予め登録された連絡先（例えば、保護者の携帯端末）に、第１無線ユニット１４によるメール機能を利用して定期的に通知することを可能にあるためである。こうすることで、疑似電源オフモード中も、保護者は子供であるユーザの位置情報を把握することができるようになる。そのため、電子機器１が疑似電源オフモードになっていても、子供であるユーザの身の安全等を確保することができる。
【００５７】
なお、疑似電源オフモードは、例えば保護者が電子機器１の保護者向けのメニューを操作して、疑似電源オフモードの機能を有効にすることで、利用可能になる。この場合、子供であるユーザが電源キー３Ｅを長く押すと、電子機器１は疑似電源オフモードに移行する。さらに、この場合、子供であるユーザが、電源キー３Ｅを操作して、電子機器１を電源オフモードに移行させることは、できなくなる。つまり、疑似電源オフモードの機能が有効であるときは、子供であるユーザが電子機器１を電源オフモードに移行させることはできず、保護者のみが電子機器１を電源オフモードに移行させることができる。
【００５８】
また、疑似電源オフモードは、例えば保護者が電子機器１の保護者向けのメニューを操作して、疑似電源オフモードの機能を無効にすると、利用不可能になる。この場合、子供であるユーザが電源キー３Ｅを長く押すと、電子機器１は電源オフモードに移行する。つまり、疑似電源オフモードの機能が無効であるときは、子供であるユーザが電子機器１を電源オフモードに移行させることができる。
【００５９】
なお、本実施形態では、特に断らない限り、疑似電源オフモードの機能は有効にされているものとする。
【００６０】
＜機内モード＞
機内モードとは、電子機器１の電源はオン状態で、所定基準としての航空機の安全基準に基づき、電子機器１の一部の通信機能が制限されているモードである。例えば、機内モードは、ユーザが電子機器１を飛行機に持ち込み、カメラ４Ｂの撮影機能等を利用したい場合に、使用されるモードである。
【００６１】
航空機の安全基準に基づき制限される一部の通信機能には、例えば、第１無線ユニット１４の通信機能、第３無線ユニット１６のＢｌｕｅｔｏｏｔｈ（登録商標）に準拠した通信機能、及び、第３無線ユニット１６のＷｉＦｉに準拠した通信機能の少なくとも１つが含まれる。
【００６２】
なお、第２無線ユニット１５の受信機能は、ＧＰＳ衛星からの電波を受信するための機能であり、強い電磁波を送信するための機能ではない。そのため、第２無線ユニット１５の受信機能は、機内モードにおいて特に制限されない。また、第３無線ユニット１６の通信機能に、ＩＳＯ／ＩＥＣ１４４４３又はＩＳＯ／ＩＥＣ１８０９２に準拠した通信機能が含まれる場合、機内モードにおいて、この通信機能が制限されてもよい。
【００６３】
例えば、コントローラ２１は、タッチセンサ２Ｂを介して、電子機器１を機内モードに移行させるためのユーザ操作を検出すると、第１無線ユニット１４の通信機能をオフ状態にする。さらに、コントローラ２１は、第３無線ユニット１６のＢｌｕｅｔｏｏｔｈ（登録商標）に準拠した通信機能、及び、第３無線ユニット１６のＷｉＦｉに準拠した通信機能をオフ状態にする。
【００６４】
なお、機内モードは、電子機器１を飛行機に持ち込むときだけではなく、電子機器１を通信機能の制限が求められる場所に持ち込むときにも、利用することができる。例えば、機内モードは、電子機器１を病院に持ち込むときにも、利用することができる。
【００６５】
＜推奨する旨を表示する処理＞
ところで、ユーザが電子機器を飛行機に持ち込むときは、電子機器の電源をオフ状態にするか、又は、電子機器を機内モードにすることが求められる。このような場合に、子供であるユーザが、電子機器１の電源をオフ状態にしようとすることがあり得る。しかしながら、上述のように、疑似電源オフモードの機能が有効にされている場合、子供であるユーザは、電子機器の電源をオフ状態にしようとして電源キー３Ｅを押しても、電子機器を電源オフモードに移行させることはできない。このとき、電子機器は疑似電源オフモードに移行する。
【００６６】
ここで、疑似電源オフモードでは、電子機器の通信機能は制限されない。なぜなら、疑似電源オフモードであるときに電子機器の通信機能を制限してしまうと、例えば電子機器の位置情報を予め登録された連絡先に定期的に通知することができなくなり、子供であるユーザの身の安全を確保することが困難になるためである。従って、ユーザが電子機器を飛行機に持ち込むときに、ユーザが誤って電子機器を疑似電源オフモードに移行させてしまうと、ユーザは、通信機能を維持した状態の電子機器を機内へ持ち込んでしまうことになる。
【００６７】
上記のような事態を回避すべく、本実施形態では、ユーザ操作（例えば、電源キー３Ｅの長押し）に基づき電子機器１を疑似電源オフモードに移行させるときに、電子機器１を機内モードに設定するよう推奨する旨を、表示部としてのディスプレイ２に表示させる。こうすることで、コントローラ２１が電子機器１を疑似電源オフモードに移行させてしまう前に、ユーザに、ディスプレイ２に表示された電子機器１を機内モードに設定するよう推奨する旨を視認させることが可能になる。これにより、電子機器１を飛行機に持ち込むとき、ユーザが誤って電子機器１を疑似電源オフモードに移行させてしまうことを防ぐことができる。さらに、ユーザによって電子機器１を機内モードに移行させることが可能になる。加えて、電子機器１を機内モードに移行させることで、電子機器１の通信量を低減させることができ、電子機器１の消費電力を低減させることが可能になる。
【００６８】
なお、上記電子機器１を機内モードに設定するよう推奨する旨と併せて、機内モードへ移行させるためのソフトキーＡを、ディスプレイ２に表示させてもよい。この場合、コントローラ２１は、ソフトキーＡに対するユーザ操作を、タッチセンサ２Ｂを介して検出したときに、電子機器１を機内モードに移行させてもよい。
【００６９】
また、上記電子機器１を機内モードに設定するよう推奨する旨と併せて、疑似電源オフモードへの移行処理を続けるためのソフトキーＢを、ディスプレイ２に表示させてもよい。この場合、コントローラ２１は、ソフトキーＢに対するユーザ操作を、タッチセンサ２Ｂを介して検出したときに、電子機器１を疑似電源オフモードに移行させてもよい。
【００７０】
［システム動作］
図４は、本発明の第１実施形態に係る電子機器１の動作を示すフローチャートである。なお、以下では、ステップＳ１の処理の前に、通常モードである電子機器１を疑似電源オフモードに移行させるために、ユーザによって電源キー３Ｅが長く（例えば、１秒以上）押されているものとする。また、以下では、ソフトキーＡ，Ｂが、電子機器１を機内モードに設定するよう推奨する旨と併せて、ディスプレイ２に表示されるものとする。
【００７１】
コントローラ２１は、疑似電源オフモードに移行させるための、電源キー３Ｅに対するユーザ操作を検出する（ステップＳ１）。すると、コントローラ２１は、電子機器１を機内モードに設定するよう推奨する旨とソフトキーＡ，Ｂとを、ディスプレイ２に表示させる（ステップＳ２）。
【００７２】
ユーザは、ステップＳ２の処理によってディスプレイ２に表示された、電子機器１を機内モードに設定するよう推奨する旨等を視認する。ユーザは、電子機器１を飛行機に持ち込むときは、ディスプレイ２に表示されたソフトキーＡを指等でタッチする。また、ユーザは、公共の場にいるために電子機器１を疑似電源オフモードに移行させるときは、ディスプレイ２に表示されたソフトキーＢを指等でタッチする。
【００７３】
このようなステップＳ１，Ｓ２の処理によって、本実施形態では、ユーザ操作に基づき電子機器１を疑似電源オフモードに移行させるときに、電子機器１を機内モードに設定するよう推奨する旨が、ディスプレイ２に表示される。こうすることで、コントローラ２１が電子機器１を疑似電源オフモードに移行させてしまう前に、ユーザに、ディスプレイ２に表示された電子機器１を機内モードに設定するよう推奨する旨を視認させることが可能になる。
【００７４】
その後、コントローラ２１は、ソフトキーＡに対するユーザ操作を検出したか否か判定する（ステップＳ３）。コントローラ２１は、ソフトキーＡに対するユーザ操作を検出したと判定したとき（ステップＳ３：Ｙｅｓ）、ステップＳ４の処理に進む。一方、コントローラ２１は、ソフトキーＡに対するユーザ操作を検出しないと判定したとき、すなわち、ソフトキーＢに対するユーザ操作を検出したと判定したとき（ステップＳ３：Ｎｏ）、ステップＳ５の処理に進む。
【００７５】
ステップＳ４の処理では、コントローラ２１は、電子機器１を機内モードに移行させる。このように本実施形態では、ユーザが電子機器１を飛行機に持ち込むとき、ユーザが誤って電子機器１を疑似電源オフモードに移行させてしまうことを防ぎ、さらに電子機器１を機内モードに移行させることが可能になる。
【００７６】
ステップＳ５の処理では、コントローラ２１は、電子機器１を疑似電源オフモードに移行させる。このように本実施形態では、ユーザが公共の場にいるために電子機器１を疑似電源オフモードに移行させるとき、電子機器１はそのまま疑似電源オフモードに移行される。
【００７７】
以上のように、第１実施形態に係る電子機器１では、ユーザ操作に基づき電子機器１を疑似電源オフモードに移行させるときに、電子機器１を機内モードに設定するよう推奨する旨が、ディスプレイ２に表示される。こうすることで、コントローラ２１が電子機器１を疑似電源オフモードに移行させてしまう前に、ユーザに、ディスプレイ２に表示された電子機器１を機内モードに設定するよう推奨する旨を視認させることが可能になる。これにより、電子機器１を飛行機に持ち込むとき、ユーザが誤って電子機器１を疑似電源オフモードに移行させてしまうことを防ぐことができる。さらに、ユーザによって電子機器１を機内モードに移行させることが可能になる。加えて、電子機器１を機内モードに移行させることで、電子機器１の通信量を低減させることができ、電子機器１の消費電力を低減させることが可能になる。
【００７８】
（第２実施形態）
次に、本発明の第２実施形態に係る電子機器について説明する。第２実施形態に係る電子機器は、第１実施形態に係る電子機器と同様の構成を採用することができる。従って、以下では、図１から図３を参照しつつ、第１実施形態との相違点を中心に説明する。
【００７９】
第２実施形態では、コントローラ２１は、ユーザ操作（例えば、電源キー３Ｅの長押し）に基づき電子機器１を疑似電源オフモードに移行させるときに、電子機器１の電源をオフ状態にすることを推奨する旨を、表示部としてのディスプレイ２に表示させる。つまり、第２実施形態では、第１実施形態における電子機器１を機内モードに設定するよう推奨する旨の代わりに、電子機器１の電源をオフ状態にすることを推奨する旨を、ディスプレイ２に表示させる。こうすることで、コントローラ２１が電子機器１を疑似電源オフモードに移行させてしまう前に、ユーザに、電子機器１の電源をオフ状態にすることを推奨する旨を視認させることが可能になる。これにより、ユーザが電子機器１を飛行機に持ち込むとき、子供であるユーザが保護者に電子機器１を渡して、保護者によって電子機器１を電源オフモードに移行させることが可能になる。さらに、電子機器１を電源オフモードに移行させることで、電子機器１の通信量を低減させることができ、電子機器１の消費電力を低減させることが可能になる。
【００８０】
なお、第１実施形態と同様に、上記電子機器１の電源をオフ状態にすることを推奨する旨と併せて、疑似電源オフモードへの移行処理を続けるためのソフトキーＢを、ディスプレイ２に表示させてもよい。この場合、コントローラ２１は、ソフトキーＢに対するユーザ操作を、タッチセンサ２Ｂを介して検出したときに、電子機器１を疑似電源オフモードに移行させてもよい。
【００８１】
また、上記電子機器１の電源をオフ状態にすることを推奨する旨の代わりに、電子機器１の疑似電源オフモードの機能を無効にしてから電源をオフ状態にすることを推奨する旨をディスプレイ２に表示させてもよい。これは、第１実施形態において説明したように、疑似電源オフモードの機能が無効であるときは、子供であるユーザが電源キー３Ｅを操作して電子機器１を電源オフモードに移行させることが可能になることに基づく。例えば、子供であるユーザは、ディスプレイ２に表示されたこの旨を視認すると、保護者に電子機器１を渡して、保護者に疑似電源オフモードの機能を無効にするよう頼む。電子機器１を渡された保護者は、電子機器１の保護者向けのメニューを操作して、疑似電源オフモードの機能を無効にする。さらに、保護者は、電子機器１の疑似電源オフモードの機能を無効にした後、電子機器１を、子供であるユーザに返却する。電子機器１を返却されたユーザは、電源キー３Ｅを長く押して、電子機器１を電源オフモードに移行させる。こうすることでも、上述と同様の効果を得ることができる。
【００８２】
［システム動作］
図４は、本発明の第１実施形態に係る電子機器１の動作を示すフローチャートである。なお、以下では、ステップＳ１の処理の前に、通常モードである電子機器１を疑似電源オフモードに移行させるために、ユーザによって電源キー３Ｅが長く（例えば、１秒以上）押されているものとする。また、以下では、ソフトキーＢが、電子機器１の電源をオフ状態にすることを推奨する旨と併せて、ディスプレイ２に表示されるものとする。
【００８３】
コントローラ２１は、疑似電源オフモードに移行させるための、電源キー３Ｅに対するユーザ操作を検出する（ステップＳ１１）。すると、コントローラ２１は、電子機器１の電源をオフ状態にすることを推奨する旨とソフトキーＢとを、ディスプレイ２に表示させる（ステップＳ１２）。
【００８４】
ユーザは、ステップＳ１２の処理によってディスプレイ２に表示された、電子機器１の電源をオフ状態にすることを推奨する旨等を視認する。子供であるユーザは、電子機器１を飛行機に持ち込むとき、保護者に電子機器１を渡す。保護者は、電子機器１を電源オフモードに移行させるために、保護者向けのメニューを操作する。また、ユーザは、公共の場にいるために電子機器１を疑似電源オフモードに移行させる場合、ディスプレイ２に表示されたソフトキーＢを指等でタッチする。
【００８５】
このようなステップＳ１１，Ｓ１２の処理によって、本実施形態では、ユーザ操作に基づき電子機器１を疑似電源オフモードに移行させるときに、電子機器１の電源をオフ状態にすることを推奨する旨がディスプレイ２に表示される。こうすることで、コントローラ２１が電子機器１を疑似電源オフモードに移行させてしまう前に、ユーザに、電子機器１の電源をオフ状態にすることを推奨する旨を視認させることが可能になる。
【００８６】
その後、コントローラ２１は、電源オフモードに移行させるためのユーザ操作を検出したか否か判定する（ステップＳ１３）。コントローラ２１は、電源オフモードに移行させるためのユーザ操作を検出したと判定したとき（ステップＳ１３：Ｙｅｓ）、ステップＳ１４の処理に進む。一方、コントローラ２１は、電源オフモードに移行させるためのユーザ操作を検出しないと判定したとき、すなわち、ソフトキーＢに対するユーザ操作を検出したと判定したとき（ステップＳ１３：Ｎｏ）、ステップＳ１５の処理に進む。
【００８７】
ステップＳ１４の処理では、コントローラ２１は、電子機器１を電源オフモードに移行させる。このように本実施形態では、ユーザが電子機器１を飛行機に持ち込むとき、ユーザが誤って電子機器１を疑似電源オフモードに移行させてしまうことを防ぎ、さらに電子機器１を電源オフモードに移行させることが可能になる。
【００８８】
ステップＳ１５の処理では、コントローラ２１は、電子機器１を疑似電源オフモードに移行させる。このように本実施形態では、ユーザが公共の場にいるために電子機器１を疑似電源オフモードに移行させるとき、電子機器１はそのまま疑似電源オフモードに移行される。
【００８９】
なお、ステップＳ１３の処理において、コントローラ２１は、電子機器１の電源をオフ状態にすることを推奨する旨の代わりに、電子機器１の疑似電源オフモードの機能を無効にしてから電源をオフ状態にすることを推奨する旨をディスプレイ２に表示させてもよい。
【００９０】
以上のように、第２実施形態に係る電子機器１では、ユーザ操作に基づき電子機器１を疑似電源オフモードに移行させるときに、電子機器１の電源をオフ状態にすることを推奨する旨がディスプレイ２に表示される。こうすることで、コントローラ２１が電子機器１を疑似電源オフモードに移行させてしまう前に、ユーザに、電子機器１の電源をオフ状態にすることを推奨する旨を視認させることが可能になる。さらに、電子機器１を電源オフモードに移行させることで、電子機器１の通信量を低減させることができ、電子機器１の消費電力を低減させることが可能になる。従って、本実施形態では、改善された電子機器１を提供することができる。
【００９１】
第２実施形態において、その他の効果及び構成は、第１実施形態と同様である。
【００９２】
本発明の一実施形態を諸図面及び実施例に基づき説明してきたが、当業者であれば本開示に基づき種々の変形及び修正を行うことが容易であることに注意されたい。従って、これらの変形及び修正は本発明の範囲に含まれることに留意されたい。例えば、各構成部、各ステップ等に含まれる機能等は論理的に矛盾しないように再配置可能であり、複数の構成部及びステップ等を１つに組み合わせたり、或いは分割したりすることが可能である。また、本発明の一実施形態について装置を中心に説明してきた。しかしながら、本発明は装置が備えるプロセッサにより実行される方法、プログラム、又はプログラムを記録した記憶媒体としても実現し得るものである。従って、これらも、本発明の範囲にはこれらも包含されるものと理解されたい。
【符号の説明】
【００９３】
１  電子機器
２  ディスプレイ（表示部）
２Ａ  表示パネル
２Ｂ  タッチセンサ
３  キー
３Ａ，３Ｂ，３Ｃ  操作キー
３Ｄ  音量キー
３Ｅ  電源キー
３Ｆ  防犯ブザーキー
４Ａ，４Ｂ  カメラ
５  レシーバ
６  ランプ
７  近接センサ
８  ライト
９  スピーカ
１０  マイク
１１  バイブ
１２  コネクタ
１３  バッテリ
１４  第１無線ユニット
１５  第２無線ユニット
１６  第３無線ユニット
２０  ストレージ
２１  コントローラ（制御部）
【図１】
2018110371.tif 000003
【図２】
2018110371.tif 000004
【図３】
2018110371.tif 000005
【図４】
2018110371.tif 000006
【図５】
2018110371.tif 000007
【手続補正書】
【提出日】平成29年8月28日(2017.8.28)
【手続補正１】
【補正対象書類名】特許請求の範囲
【補正対象項目名】全文
【補正方法】変更
【補正の内容】
【特許請求の範囲】
【請求項１】
電源がオン状態である通常モードと、
電源がオン状態であり、前記通常モードの一部の機能が制限されているが、基地局との通信が可能な疑似電源オフモードと、を有する電子機器であって、
前記電子機器は制御部及び表示部を備え、
前記制御部は、ユーザ操作に基づき前記電子機器を前記疑似電源オフモードに移行させるときに、前記電子機器を、少なくとも前記基地局との通信が不可になる機内モードに設定するよう推奨する旨を、前記表示部に表示させる、電子機器。
【手続補正２】
【補正対象書類名】明細書
【補正対象項目名】０００６
【補正方法】変更
【補正の内容】
【０００６】
本発明の一実施形態に係る電子機器は、電源がオン状態である通常モードと、疑似電源オフモードとを有する。該疑似電源オフモードは、電源がオン状態であり、前記通常モードの一部の機能が制限されているが、基地局との通信が可能なモードである。前記電子機器は制御部及び表示部を備える。前記制御部は、ユーザ操作に基づき前記電子機器を前記疑似電源オフモードに移行させるときに、前記電子機器を、前記基地局との通信が不可になる機内モードに設定するよう推奨する旨を、前記表示部に表示させる。